(57)【要約】【課題】理想的な集束光を照射しつつ、理想的な拡散光を照射する。【解決手段】光源１と、光源１からの光を投影する凸レンズ６とを具備し、集光モード時に光源１と凸レンズ６との間隔Δ１を広くし、拡散モード時に光源１と凸レンズ６との間隔Δ２を狭くするように構成された照明装置において、凸レンズ６の光源１側の面６ａを平面によって構成し、凸レンズ６の光源１とは反対側の面の頂部６ｂと裾部６ｃとを凸状面６ｂ’，６ｃ’によって構成し、頂部６ｂと裾部６ｃとの間の中間部６ｄを凹状面６ｄ’によって構成した。【選択図】図１
2008204841.tif 000002
【特許請求の範囲】
【請求項１】
光源と、光源からの光を投影するための凸レンズとを具備し、集光モード時に光源と凸レンズとの間隔を広くし、拡散モード時に光源と凸レンズとの間隔を狭くするように構成された照明装置において、
凸レンズの光源側の面を平面によって構成し、
凸レンズの光源とは反対側の面の頂部と裾部とを凸状面によって構成し、
頂部と裾部との間の中間部を凹状面によって構成したことを特徴とする照明装置。
【請求項２】
集光モード時に、凸状面から出射する光が凸レンズの光軸に対してほぼ平行に進むように、かつ、拡散モード時に、凸状面から出射する光が凸レンズの光軸から遠ざかる側に進むように、集光モード時における光源と凸レンズとの間隔、および、拡散モード時における光源と凸レンズとの間隔を設定し、
集光モード時に、凹状面の頂部側部分から出射する光が凸レンズの光軸に近づく側に進むと共に、凹状面の裾部側部分から出射する光が凸レンズの光軸から遠ざかる側に進むように、かつ、拡散モード時に、凹状面の頂部側部分から出射する光が凸レンズの光軸に対してほぼ平行に進むと共に、凹状面の裾部側部分から出射する光が、拡散モード時に凸状面から出射する光よりも凸レンズの光軸から遠ざかりながら進むように、凹状面の形状を設定したことを特徴とする請求項１に記載の照明装置。
【請求項３】
光源から放射される光のうち、約６割の光が凸状面を透過せしめられ、約４割の光が凹状面を透過せしめられることを特徴とする請求項２に記載の照明装置。
【請求項４】
凸レンズの光軸と凸レンズの光源側の平面との交点を通過する母線であって、凸レンズの光軸と約３５°の角度をなす母線を含む第１円錐面と、凸レンズの光軸と凸レンズの光源側の平面との交点を通過する母線であって、凸レンズの光軸と約７０°の角度をなす母線を含む第２円錐面とによって挟まれる領域に凹状面を形成したことを特徴とする請求項１〜３のいずれか一項に記載の照明装置。
【発明の詳細な説明】
【技術分野】
【０００１】
本発明は、光源と、光源からの光を投影するための凸レンズとを具備し、集光モード時に光源と凸レンズとの間隔を広くし、拡散モード時に光源と凸レンズとの間隔を狭くするように構成された照明装置に関し、特には、理想的な集束光を照射しつつ、理想的な拡散光を照射することができる照明装置に関する。
【背景技術】
【０００２】
従来から、光源と、光源からの光を投影するための凸レンズとを具備し、集光モード時に光源と凸レンズとの間隔を広くし、拡散モード時に光源と凸レンズとの間隔を狭くするように構成された照明装置が知られている。この種の照明装置の例としては、例えば特開平８−３２７５５４号公報に記載されたものがある。
【０００３】
特開平８−３２７５５４号公報に記載された照明装置では、光源と凸レンズとの間隔を変更するためにボールねじが用いられている。更に、凸レンズから集束光を照射すべき時に、ボールねじによって光源と凸レンズとの間隔が広げられ、凸レンズから拡散光を照射すべき時に、ボールねじによって光源と凸レンズとの間隔が狭めらている。
【０００４】
【特許文献１】特開平８−３２７５５４号公報
【発明の開示】
【発明が解決しようとする課題】
【０００５】
ところで、特開平８−３２７５５４号公報に記載された照明装置のように、集光モードと拡散モードとを有する照明装置を設計する場合には、集束光および拡散光のいずれか一方の配光設計が先に行われ、次いで、他方の配光設計が行われる。一般的に、理想的な拡散光の配光設計を先に行うと、後から配光設計される集束光が理想的なものになりづらい。そのため、通常は、理想的な集束光の配光設計が先に行われ、次いで、その理想的な集束光を形成する光源と凸レンズとの間隔を適宜広げることにより、理想的な拡散光に近い好適な拡散光が配光設計されている。
【０００６】
このように、その理想的な集束光を形成する光源と凸レンズとの間隔を適宜広げることにより、理想的な拡散光を配光設計しようとしても、なかなか理想的な拡散光を配光設計することができない点に鑑み、本発明者等は、別の観点から理想的な集束光および拡散光の配光設計を行うことを試みた。
【０００７】
具体的には、本発明者等は、まず最初に、従来と同様に、理想的な集束光の配光設計を先に行った。次いで、本発明者等は、その理想的な集束光を形成する光源と凸レンズとの間隔を適宜広げることのみによって理想的な拡散光を配光設計するのではなく、その理想的な集束光を形成する凸レンズを設計変更しつつ、その設計変更された凸レンズと光源との間隔を適宜広げることにより、理想的な拡散光の配光設計を行った。
【０００８】
詳細には、本発明者等は、凸レンズにより形成される集束光の集光性が凸レンズの設計変更によって極端に悪化しないように配慮しながら、凸レンズの設計変更を行った。
【０００９】
換言すれば、本発明者等は、研究において、まず最初に、理想的な集束光を形成する凸レンズを設計し、次いで、その凸レンズにより形成される集束光の集光性が悪化しないように、かつ、その凸レンズにより形成される拡散光が理想的なものに近づくように配慮しながら、その凸レンズの設計変更を行った。
【００１０】
鋭意研究の結果、本発明者等は、凸レンズの光源側の面を平面によって構成し、凸レンズの光源とは反対側の面の頂部と裾部とを凸状面によって構成し、その頂部とその裾部との間の中間部を凹状面によって構成することにより、理想的な集束光を照射しつつ、理想的な拡散光を照射できることを見出したのである。
【００１１】
つまり、本発明は、理想的な集束光を照射しつつ、理想的な拡散光を照射することができる照明装置を提供することを目的とする。
【課題を解決するための手段】
【００１２】
請求項１に記載の発明によれば、光源と、光源からの光を投影するための凸レンズとを具備し、集光モード時に光源と凸レンズとの間隔を広くし、拡散モード時に光源と凸レンズとの間隔を狭くするように構成された照明装置において、凸レンズの光源側の面を平面によって構成し、凸レンズの光源とは反対側の面の頂部と裾部とを凸状面によって構成し、頂部と裾部との間の中間部を凹状面によって構成したことを特徴とする照明装置が提供される。
【００１３】
請求項２に記載の発明によれば、集光モード時に、凸状面から出射する光が凸レンズの光軸に対してほぼ平行に進むように、かつ、拡散モード時に、凸状面から出射する光が凸レンズの光軸から遠ざかる側に進むように、集光モード時における光源と凸レンズとの間隔、および、拡散モード時における光源と凸レンズとの間隔を設定し、集光モード時に、凹状面の頂部側部分から出射する光が凸レンズの光軸に近づく側に進むと共に、凹状面の裾部側部分から出射する光が凸レンズの光軸から遠ざかる側に進むように、かつ、拡散モード時に、凹状面の頂部側部分から出射する光が凸レンズの光軸に対してほぼ平行に進むと共に、凹状面の裾部側部分から出射する光が、拡散モード時に凸状面から出射する光よりも凸レンズの光軸から遠ざかりながら進むように、凹状面の形状を設定したことを特徴とする請求項１に記載の照明装置が提供される。
【００１４】
請求項３に記載の発明によれば、光源から放射される光のうち、約６割の光が凸状面を透過せしめられ、約４割の光が凹状面を透過せしめられることを特徴とする請求項２に記載の照明装置が提供される。
【００１５】
請求項４に記載の発明によれば、凸レンズの光軸と凸レンズの光源側の平面との交点を通過する母線であって、凸レンズの光軸と約３５°の角度をなす母線を含む第１円錐面と、凸レンズの光軸と凸レンズの光源側の平面との交点を通過する母線であって、凸レンズの光軸と約７０°の角度をなす母線を含む第２円錐面とによって挟まれる領域に凹状面を形成したことを特徴とする請求項１〜３のいずれか一項に記載の照明装置が提供される。
【発明の効果】
【００１６】
請求項１及び２に記載の照明装置では、集光モード時に、光源と、光源からの光を投影するための凸レンズとの間隔が広くされ、拡散モード時に光源と凸レンズとの間隔が狭くされる。そのため、請求項１及び２に記載の照明装置によれば、集光モード時に凸レンズから集束光を照射し、拡散モード時に凸レンズから拡散光を照射することができる。
【００１７】
また、請求項１及び２に記載の照明装置では、凸レンズの光源側の面が平面によって構成され、凸レンズの光源とは反対側の面の頂部と裾部とが凸状面によって構成され、頂部と裾部との間の中間部が凹状面によって構成されている。
【００１８】
詳細には、請求項１及び２に記載の照明装置では、集光モード時に、凸状面から出射する光が凸レンズの光軸に対してほぼ平行に進むように、かつ、拡散モード時に、凸状面から出射する光が凸レンズの光軸から遠ざかる側に進むように、集光モード時における光源と凸レンズとの間隔、および、拡散モード時における光源と凸レンズとの間隔が設定されている。
【００１９】
更に、請求項１及び２に記載の照明装置では、集光モード時に、凹状面の頂部側部分から出射する光が凸レンズの光軸に近づく側に進むと共に、凹状面の裾部側部分から出射する光が凸レンズの光軸から遠ざかる側に進むように、かつ、拡散モード時に、凹状面の頂部側部分から出射する光が凸レンズの光軸に対してほぼ平行に進むと共に、凹状面の裾部側部分から出射する光が、拡散モード時に凸状面から出射する光よりも凸レンズの光軸から遠ざかりながら進むように、凹状面の形状が設定されている。
【００２０】
換言すれば、請求項１及び２に記載の照明装置では、拡散モード時に凹状面の裾部側部分から出射する光が、拡散モード時に凸状面から出射する光よりも、凸レンズの光軸から遠ざかりながら進む。つまり、請求項１及び２に記載の照明装置では、凸レンズに凹状面が形成されていない場合よりも、拡散モード時における凸レンズからの出射光の拡散性が増加せしめられている。
【００２１】
そのため、請求項１及び２に記載の照明装置によれば、理想的な集束光を照射しつつ、理想的な拡散光を照射することができる。
【００２２】
請求項３に記載の照明装置では、光源から放射される光のうち、約６割の光が凸状面を透過せしめられ、約４割の光が凹状面を透過せしめられる。換言すれば、請求項３に記載の照明装置では、集光モード時に、光源から放射される光のうち約６割の光が、凸状面を透過せしめられ、凸レンズの光軸に対してほぼ平行に進むように出射される。そのため、請求項３に記載の照明装置によれば、凸レンズに凹状面が形成されるのに伴って、集束光の集光性が低下してしまうのを抑制することができる。換言すれば、請求項３に記載の照明装置によれば、光源から放射される光のうち５割以下の光しか凸状面を透過せしめられない場合よりも、集光モード時に凸レンズから照射される光の集光性を高めることができる。
【００２３】
本発明者等の研究では、凸レンズの光軸と凸レンズの光源側の平面との交点を通過する母線であって、凸レンズの光軸と約３５°の角度をなす母線を含む仮想第１円錐面と、凸レンズの光軸と凸レンズの光源側の平面との交点を通過する母線であって、凸レンズの光軸と約７０°の角度をなす母線を含む仮想第２円錐面とによって挟まれる領域に凹状面を形成した場合に、拡散モード時に凹状面の裾部側部分から出射する光が、拡散モード時に凸状面から出射する光よりも、凸レンズの光軸から遠ざかりながら進むことが確認できた。つまり、仮想第１円錐面と仮想第２円錐面とによって挟まれる領域に凹状面を形成した場合に、理想的な集束光を照射しつつ、理想的な拡散光を照射できることが確認できた。
【００２４】
この研究結果に基づき、請求項４に記載の照明装置では、凸レンズの光軸と凸レンズの光源側の平面との交点を通過する母線であって、凸レンズの光軸と約３５°の角度をなす母線を含む第１円錐面と、凸レンズの光軸と凸レンズの光源側の平面との交点を通過する母線であって、凸レンズの光軸と約７０°の角度をなす母線を含む第２円錐面とによって挟まれる領域に凹状面が形成されている。
【００２５】
そのため、請求項４に記載の照明装置によれば、拡散モード時に凹状面の裾部側部分から出射する光が、拡散モード時に凸状面から出射する光よりも、凸レンズの光軸から遠ざかりながら進むようにすることができる。つまり、請求項４に記載の照明装置によれば、理想的な集束光を照射しつつ、理想的な拡散光を照射することができる。
【発明を実施するための最良の形態】
【００２６】
以下、本発明の照明装置の第１の実施形態について説明する。図１は第１の実施形態の照明装置を概略的に示した図である。詳細には、図１（Ａ）は第１の実施形態の照明装置の平面図、図１（Ｂ）は図１（Ａ）のＡ−Ａ線に沿った断面図である。図１において、１は例えばＬＥＤのような光源を示しており、２は光源１が実装された基板を示しており、３は光源１が実装された基板２を支持するための光源支持部材を示している。４は透明な樹脂材料によって光源１を封止することにより構成されたインナーレンズを示しており、５は光源支持部材３の上面に対して垂直に延びているガイド部材を示している。
【００２７】
第１の実施形態の照明装置では、光源支持部材３とガイド部材５とが別部材によって形成され、ガイド部材５が例えばかしめによって光源支持部材３に固定されているが、第２の実施形態の照明装置では、代わりに、光源支持部材３とガイド部材５とを一部材によって形成することも可能である。
【００２８】
また、図１において、６は光源１からの光を投影するための凸レンズを示しており、６ａは凸レンズ６の光源１側の面を示している。６ｂは凸レンズ６の光源１とは反対側の面の頂部を示しており、６ｃは凸レンズ６の光源１とは反対側の面の裾部を示しており、６ｄは頂部６ｂと裾部６ｃとの間の中間部を示しており、６’は凸レンズ６の光軸を示している。
【００２９】
第１の実施形態の照明装置では、図１（Ｂ）に示すように、凸レンズ６の面６ａが平面によって構成され、頂部６ｂが凸状面６ｂ’によって構成され、裾部６ｃが凸状面６ｃ’によって構成され、中間部６ｄが凹状面６ｄ’によって構成されている。また、光源１が凸レンズ６の光軸６’上に配置されている。
【００３０】
更に、図１において、７は凸レンズ６を支持するための凸レンズ支持部材を示しており、８は凸レンズ支持部材７を光源支持部材３に対して図１（Ｂ）の上下方向に移動させるためのボールねじを示しており、９はボールねじ８を回転させるためのハンドルを示している。
【００３１】
図２は第１の実施形態の照明装置の集光モード時および拡散モード時における光源１と凸レンズ６との関係を示した図である。詳細には、図２（Ａ）は集光モード時における光源１と凸レンズ６との関係を示しており、図２（Ｂ）は拡散モード時における光源１と凸レンズ６との関係を示している。第１の実施形態の照明装置では、図２（Ａ）に示すように、集光モード時に、光源１と凸レンズ６との間隔Δ１が広くされ、図２（Ｂ）に示すように、拡散モード時に、光源１と凸レンズ６との間隔Δ２（＜Δ１）が狭くされる。
【００３２】
図３は第１の実施形態の照明装置の凸レンズ６の拡大図である。図３において、６ｄ１は中間部６ｄを構成する凹状面６ｄ’の頂部側部分を示しており、６ｄ２は中間部６ｄを構成する凹状面６ｄ’の裾部側部分を示している。
【００３３】
図４は光源１から放射され、凸レンズ６を透過せしめられた光を示した図である。詳細には、図４（Ａ）は集光モード時に光源１から放射され、凸レンズ６を透過せしめられた光を示しており、図４（Ｂ）は拡散モード時に光源１から放射され、凸レンズ６を透過せしめられた光を示している。図５は凸レンズ６から照射される光を拡大して示した図である。詳細には、図５（Ａ）は集光モード時に凸レンズ６から照射される光を示しており、図５（Ｂ）は拡散モード時に凸レンズ６から照射される光を示している。
【００３４】
第１の実施形態の照明装置では、図４（Ａ）および図５（Ａ）に示すように、集光モード時に、凸状面６ｂ’（図３参照）から出射する光Ｌｂが凸レンズ６の光軸６’に対してほぼ平行に進み、凸状面６ｃ’（図３参照）から出射する光Ｌｃが凸レンズ６の光軸６’に対してほぼ平行に進む。また、凹状面６ｄ’（図３参照）の頂部側部分６ｄ１から出射する光Ｌｄ１が凸レンズ６の光軸６’に近づく側に進み、凹状面６ｄ’（図３参照）の裾部側部分６ｄ２から出射する光Ｌｄ２が凸レンズ６の光軸６’から遠ざかる側に進む。
【００３５】
また、第１の実施形態の照明装置では、図４（Ｂ）および図５（Ｂ）に示すように、拡散モード時に、凸状面６ｂ’（図３参照）から出射する光Ｌｂ’が凸レンズ６の光軸６’から遠ざかる側に進み、凸状面６ｃ’（図３参照）から出射する光Ｌｃ’が凸レンズ６の光軸６’から遠ざかる側に進む。また、凹状面６ｄ’（図３参照）の頂部側部分６ｄ１から出射する光Ｌｄ１’が凸レンズ６の光軸６’に対してほぼ平行に進む。更に、凹状面６ｄ’（図３参照）の裾部側部分６ｄ２から出射する光Ｌｄ２’が、凸状面６ｂ’（図３参照）から出射する光Ｌｂ’および凸状面６ｃ’（図３参照）から出射する光Ｌｃ’よりも凸レンズ６の光軸６’から遠ざかりながら進む。
【００３６】
更に、第１の実施形態の照明装置では、図２および図４に示すように、光源１から放射される光のうち、約６割の光が凸状面６ｂ’，６ｃ’を透過せしめられ、約４割の光が凹状面６ｄ’を透過せしめられる。
【００３７】
図６は凹状面６ｄ’が形成される位置を示した図である。第１の実施形態の照明装置では、図６に示すように、凸レンズ６の光軸６’と凸レンズ６の光源１側の平面６ａとの交点Ｘを通過する母線１０ａであって、凸レンズ６の光軸６’と約３５°の角度αをなす母線１０ａを含む第１円錐面１０と、凸レンズ６の光軸６’と凸レンズ６の光源１側の平面６ａとの交点Ｘを通過する母線１１ａであって、凸レンズ６の光軸６’と約７０°の角度βをなす母線１１ａを含む第２円錐面１１とによって挟まれる領域に凹状面６ｄ’が形成されている。
【００３８】
そのため、第１の実施形態の照明装置によれば、図５（Ｂ）に示すように、拡散モード時に凹状面６ｄ’の裾部側部分６ｄ２から出射する光Ｌｄ２’が、拡散モード時に凸状面６ｂ’から出射する光Ｌｂ’および凸状面６ｃ’から出射する光Ｌｃ’よりも、凸レンズ６の光軸６’から遠ざかりながら進むようにすることができる。つまり、第１の実施形態の照明装置によれば、図４（Ａ）および図５（Ａ）に示すように理想的な集束光を照射しつつ、図４（Ｂ）および図５（Ｂ）に示すように理想的な拡散光を照射することができる。
【００３９】
換言すれば、第１の実施形態の照明装置では、図２（Ａ）および図４（Ａ）に示すように、集光モード時に光源１と凸レンズ６との間隔Δ１が広くされ、図２（Ｂ）および図４（Ｂ）に示すように、拡散モード時に光源１と凸レンズ６との間隔Δ２が狭くされる。そのため、第１の実施形態の照明装置によれば、図４（Ａ）に示すように、集光モード時に凸レンズ６から集束光を照射し、図４（Ｂ）に示すように、拡散モード時に凸レンズ６から拡散光を照射することができる。
【００４０】
詳細には、第１の実施形態の照明装置では、図４（Ａ）に示すように、集光モード時に、凸状面６ｂ’から出射する光Ｌｂおよび凸状面６ｃ’から出射する光Ｌｃが凸レンズ６の光軸６’に対してほぼ平行に進むように、かつ、図４（Ｂ）に示すように、拡散モード時に、凸状面６ｂ’から出射する光Ｌｂ’および凸状面６ｃ’から出射する光Ｌｃ’が凸レンズ６の光軸６’から遠ざかる側に進むように、集光モード時における光源１と凸レンズ６との間隔Δ１、および、拡散モード時における光源１と凸レンズ６との間隔Δ２が設定されている。
【００４１】
更に、第１の実施形態の照明装置では、図４（Ａ）および図５（Ａ）に示すように、集光モード時に、凹状面６ｄ’の頂部側部分６ｄ１から出射する光Ｌｄ１が凸レンズ６の光軸６’に近づく側に進むと共に、凹状面６ｄ’の裾部側部分６ｄ２から出射する光Ｌｄ２が凸レンズ６の光軸６’から遠ざかる側に進むように、かつ、図４（Ｂ）および図５（Ｂ）に示すように、拡散モード時に、凹状面６ｄ’の頂部側部分６ｄ１から出射する光Ｌｄ１’が凸レンズ６の光軸６’に対してほぼ平行に進むと共に、凹状面６ｄ’の裾部側部分６ｄ２から出射する光Ｌｄ２’が、拡散モード時に凸状面６ｂ’から出射する光Ｌｂ’および凸状面６ｃ’から出射する光Ｌｃ’よりも凸レンズ６の光軸６’から遠ざかりながら進むように、凹状面６ｄ’の形状が設定されている。
【００４２】
すなわち、第１の実施形態の照明装置では、図４（Ｂ）および図５（Ｂ）に示すように、拡散モード時に凹状面６ｄ’の裾部側部分６ｄ２から出射する光Ｌｄ２’が、拡散モード時に凸状面６ｂ’から出射する光Ｌｂ’および凸状面６ｃ’から出射する光Ｌｃ’よりも、凸レンズ６の光軸６’から遠ざかりながら進む。つまり、第１の実施形態の照明装置では、凸レンズ６に凹状面６ｄ’が形成されていない場合よりも、拡散モード時における凸レンズ６からの出射光の拡散性が増加せしめられている。そのため、第１の実施形態の照明装置によれば、理想的な集束光を照射しつつ、理想的な拡散光を照射することができる。
【００４３】
更に、上述したように、第１の実施形態の照明装置では、光源１から放射される光のうち、約６割の光が凸状面６ｂ’，６ｃ’を透過せしめられ、約４割の光が凹状面６ｄ’を透過せしめられる。換言すれば、第１の実施形態の照明装置では、図２（Ａ）および図４（Ａ）に示すように、集光モード時に、光源１から放射される光のうち約６割の光が、凸状面６ｂ’，６ｃ’を透過せしめられ、凸レンズ６の光軸６’に対してほぼ平行に進むように出射される。そのため、第１の実施形態の照明装置によれば、凸レンズ６に凹状面６ｄ’が形成されるのに伴って、集束光の集光性が低下してしまうのを抑制することができる。換言すれば、第１の実施形態の照明装置によれば、光源１から放射される光のうち５割以下の光しか凸状面６ｂ’，６ｃ’を透過せしめられない場合よりも、集光モード時に凸レンズ６から照射される光の集光性を高めることができる。
【００４４】
図７および図８は第３の実施形態の照明装置を示した図である。詳細には、図７は第３の実施形態の照明装置の平面図、図８は光源支持部材３等を凸レンズ６側から（光源支持部材３と凸レンズ支持部材７との間の位置から）見た図である。第１の実施形態の照明装置では、図１に示すように、光源１および凸レンズ６が１組設けられているが、第３の実施形態の照明装置では、図７および図８に示すように、光源１および凸レンズ６が３組設けられている。
【００４５】
第４の実施形態の照明装置では、代わりに、１組あるいは３組以外の任意の組数の光源１および凸レンズ６を設けることも可能である。第５の実施形態では、上述した第１から第４の実施形態を適宜組み合わせることも可能である。
【図面の簡単な説明】
【００４６】
【図１】第１の実施形態の照明装置を概略的に示した図である。
【図２】第１の実施形態の照明装置の集光モード時および拡散モード時における光源１と凸レンズ６との関係を示した図である。
【図３】第１の実施形態の照明装置の凸レンズ６の拡大図である。
【図４】光源１から放射され、凸レンズ６を透過せしめられた光を示した図である。
【図５】凸レンズ６から照射される光を拡大して示した図である。
【図６】凹状面６ｄ’が形成される位置を示した図である。
【図７】第３の実施形態の照明装置を示した図である。
【図８】第３の実施形態の照明装置を示した図である。
【符号の説明】
【００４７】
１                光源
２                基板
３                光源支持部材
４                インナーレンズ
５                ガイド部材
６                凸レンズ
６’              光軸
６ａ              面
６ｂ              頂部
６ｂ’            凸状面
６ｃ              裾部
６ｃ’            凸状面
６ｄ              中間部
６ｄ１            頂部側部分
６ｄ２            裾部側部分
６ｄ’            凹状面
７                凸レンズ支持部材
８                ボールねじ
９                ハンドル
【図１】
2008204841.tif 000003
【図２】
2008204841.tif 000004
【図３】
2008204841.tif 000005
【図４】
2008204841.tif 000006
【図５】
2008204841.tif 000007
【図６】
2008204841.tif 000008
【図７】
2008204841.tif 000009
【図８】
2008204841.tif 000010